(57)【特許請求の範囲】
【請求項１】
適宜組み合わされて組立式構造物を構成する組立式構造物用ユニットブロックであって、
ブロック本体（１）は、他のユニットブロックに備えられた凹部（３）に嵌合可能な凸部（２）を備え、且つ、前記凸部（２）には、前記凹部（３）と嵌合した際に前記凹部（３）に設けられた貫通孔（４）と連続して支柱挿入孔（５）が形成されるように貫通孔（４）が設けられてなり、しかも、前記ブロック本体（１）は紙で構成され且つ内部の少なくとも一部が中空に構成されてなることを特徴とする組立式構造物用ユニットブロック。
【請求項２】
前記ブロック本体（１）には、前記凸部（２）と前記凹部（３）の双方が設けられてなる請求項１記載の組立式構造物用ユニットブロック。
【発明の詳細な説明】
【０００１】
【発明の属する技術分野】
本発明は、組立式パーテーション、組立式テーブル等の組立式構造物用ユニットブロックに関し、軽量で且つ組立や分解の容易な組立式構造物用ユニットブロックに関するものである。
【０００２】
【従来の技術】
従来、例えば、イベント会場等で使用されるテーブルやパーテーション等の組立式構造物は、イベント開催前に複数のブロックに分解された状態で、イベント会場に搬入され、イベント開催中は、適宜組み立てられてテーブルやパーテーション等に使用されている。
そして、これらの組立式構造物は、イベントが終了後に各ブロックに分解されて回収される。
ところで、これらのブロックは、木板や金属で構成されており、不用意に分解しないように、釘、ネジ、ボルト等で強固に固定されて使用されている。
【０００３】
【発明が解決しようとする課題】
しかしながら、木板や金属は、比較的に重量が大きいため運搬や取扱いが比較的困難であり、又、釘、ネジ、ボルト等を用いて組み立てる必要が有ることから、組立や分解作業が煩雑であるという問題を有していた。
【０００４】
一方、組み立てられた構造物が、不用意に分解するようでは、使用価値が軽減する。
【０００５】
そこで、本発明は、上記従来の問題点に鑑みなされたもので、運搬や取扱いが簡便で且つ組立や分解を容易に行うことができ、しかも、組み立てられた構造物が不用意に分解する虞の少ない組立式構造物用ユニットブロックを提供することを課題とする。
【０００６】
【課題を解決するための手段】
上記課題を解決すべく、本発明にかかる組立式構造物用ユニットブロックは、適宜組み合わされて組立式構造物を構成する組立式構造物用ユニットブロックであって、ブロック本体１は、他のユニットブロックに備えられた凹部３に嵌合可能な凸部２を備え、且つ、前記凸部２には、前記凹部３と嵌合した際に前記凹部３に設けられた貫通孔４と連続して支柱挿入孔５が形成されるように貫通孔４が設けられてなり、しかも、前記ブロック本体１は紙で構成され且つ内部の少なくとも一部が中空に構成されてなることを特徴とする。
【０００７】
上記構成からなる組立式構造物用ユニットブロックは、ブロック本体１が紙で構成され且つ内部の少なくとも一部が中空に構成されてなるので、木材や金属からなるブロックに比して軽量であるため、運搬や取扱いが簡便であるという利点を有する。
また、凸部２を他のユニットブロックのブロック本体１に備えられた凹部３と嵌合させた際に形成される支柱挿入孔５に支柱６を挿入することにより、釘、ネジ、ボルト等を用いずとも、嵌合した凹部３と凸部２との外れることが防止され、組み合わされたユニットブロック同士が離反することも防止される。
【０００８】
また、本発明においては、前記ブロック本体１に、前記凸部２と前記凹部３の双方が設けられてなるものが好ましい。
上記構成を採用することで、二つのユニットブロックを使用して、互いの凸部２を他方の凹部３にそれぞれ嵌合することにより、両ユニットブロックは、互いに強固に組み合わされることになり、組み立てられた構造物は、より強固なものとなるのである。
【０００９】
【発明の実施の形態】
以下、本発明の実施の形態について、図面を参照しつつ説明する。
図１は、本実施形態の組立式構造物用ユニットブロックを示す斜視図である。
ここで、ユニットブロックとは、組立式構造物用構成する一単位となるブロックを意味するものである。
本実施形態の組立式構造物用ユニットブロックは、ブロック本体１のみ、又はブロック本体１の表面に適宜塗装等が施されて構成されてなる。
前記ブロック本体１は、外郭が段ボール紙等の厚紙で構成され、前記外郭に囲まれた内部が中空に構成されてなる。
【００１０】
詳しくは、前記ブロック本体１は、略矩形の同一形状の厚紙を所定間隔を開けて互いに対向させ、厚みのある略矩形の板状に形成されてなり、１辺を除く３辺において、所定間隔を開けて所定の形状（略矩形）に切り欠かれることにより、交互に凸部２と凹部３が形成されてなる。
また、板状に形成されたブロック本体１の正面（面積が最も広い面、即ち厚紙の平面）の周縁以外の所定位置には、前記凸部２が嵌合可能で且つ正面から裏面まで貫通した嵌合孔７が設けられて、ブロック本体１は、正面視略格子状に形成されている。
そして、この嵌合孔７によって、他のユニットブロックの凸部２を該嵌合孔７に挿入することにより、２つのユニットブロックを互いに垂直に組み合わせることが可能とされてなる。また、この嵌合孔７によって、ユニットブロックの端部とユニットブロックの中間位置（周縁以外の部分）とを組み合わせることができる。
【００１１】
また、嵌合される凹部３と凸部２には、嵌合する方向（同一平面状に２つのユニットブロックを設置した際、何れか一方をスライドさせて嵌合する方向）及び嵌合が外れる方向に対して垂直の貫通孔４がそれぞれ形成されており、嵌合することにより、それぞれの貫通孔４は、一直線に連続し、紙管等からなる支柱６を挿入可能な支柱挿入孔５が形成されるよう構成されている。
【００１２】
本実施形態のユニットブロックの２つを組み合わせる場合、例えば、図２に示す如く、２つのユニットブロックを凸部２と凹部３の設けられていない１辺を互いに上下異なる側に位置するように設置し、同一平面状に横一列に配置した状態で、一方を他方にスライドさせ、一方の凸部２を他方の凹部３に、一方の凹部３を他方の凸部２にそれぞれ嵌合させて組み合わせる。
【００１３】
そして、例えば、本実施形態のユニットブロックで図３にしめすようなパーテーションを形成する場合、先ず、複数のユニットブロックを適宜同一平面状に組み合わせて、所定の大きさ平面状組立板を形成し、該組立板の側縁下部に形成された凸部２を、１つのユニットブロックの嵌合孔７に嵌合させることにより、前記平面状組立板に対して垂直に且つ底辺に対して面一となるようにユニットブロックを組み合わせ、両側縁の下部にスタンドを形成する。
【００１４】
複数のユニットブロックでパーテーションの形状に形成した後、図４に示す如く、前記凸部２と前記凹部３との嵌合によって形成された支柱挿入孔５に、紙管等の支柱６を上方から串差し状に挿入させて凸部２と凹部３との嵌合が外れることを防止して、パーテーションとする。
【００１５】
本実施形態のユニットブロックは、上記の如く、嵌合孔７によって、ユニットブロックの端部と他のユニットブロックの中間位置とを嵌合させて、両者を組み合わせることができるので、例えば、上述のスタンドを備えたパーテーションの如く、組立のバライティーに富むユニットブロックとなるのである。
【００１６】
次に、本実施形態のユニットブロックの製造方法の一例を示す。
先ず、一枚の厚紙（例えば、段ボール紙等）から図５の実線で囲んだ外周部分をカッター等で切り抜く。
切り抜かれたものを更に、実線部分にカッター等で切込を入れ、所定の折込片９を及び糊代片８（図５中、斜線で塗りつぶした部分）を形成する。
【００１７】
次に、ブロック本体１を仮想折込線（図５中１点鎖線５１、５２）に沿って、山折りに９０度に屈曲する。
この際、１点鎖線５１，５２によって区画された厚紙のａブロックとｂブロックは、図６に示す如く、互いに対向することになる。
【００１８】
次に、適宜切込を入れたことにより形成された糊代片８及び折込片９を仮想折込線（図５，６中１点鎖線５３）に沿って、山折りに９０度に折り込む。すると、各糊代片８は、折込片９又はブロック本体１の所望位置と当接することになる。
そして、糊代片８に接着剤を塗布し、該接着剤を介して当接する折込片９やブロック本体１の所望位置と強固に接着する。
【００１９】
本実施形態のユニットブロックは、上記の如く構成されたが、本発明のユニットブロックは、上記構成に限定されず、適宜設計変更可能である。
例えば、図７（イ）に示す様に、ブロック本体１が凸部２のみを備えてなるものであってもよい。
この場合、図７（ロ）に示す様な、ブロック本体１に凹部３のみを備えてなるものと適宜組み合わされることになる。
【００２０】
また、上記実施形態においては、ユニットブロックを組み合わせて、パーテーションを形成したが、パーテーションの他、テーブル、いす等を形成することもできる。
【００２１】
【発明の効果】
以上のように本発明にかかる組立式構造物ユニットブロックは、運搬や取扱いが簡便であるという利点を有する。
また、ネジ等を用いずとも、支柱を支柱挿入孔に挿入することにより、組み合わされたユニットブロック同士の離反することを防止でき、組み立てられた構造物が不用意に分解する虞も減少する。しかも、支柱を支柱挿入孔に挿入又は脱抜することにより、嵌合状態を維持したり外したりすることができ、ネジ等を使用する手間を省略して、組立や分解を容易に行うことができる。
【図面の簡単な説明】
【図１】一実施形態の組立式構造物用ユニットブロックを示す斜視図。
【図２】同組立式構造物ユニットブロックを組み合わせる直前の状態を示す斜視図。
【図３】同組立式構造物ユニットブロックを組み合わせて、パーテーションを構成した状態を示す斜視図。
【図４】同組立式構造物ユニットブロックを組み合わせた後、支柱挿入孔に支柱を挿入する状態を示す斜視図。
【図５】同組立式構造物ユニットブロックの展開図。
【図６】同組立式構造物ユニットブロックを製造する中間状態を示す斜視図。
【図７】他実施形態の組立式構造物を示す斜視図。
【符号の説明】
１・・・ブロック本体、２・・・凸部、３・・・凹部、４・・・貫通孔、５・・・支柱挿入孔
【図１】
0004413347.tif 000002
【図２】
0004413347.tif 000003
【図３】
0004413347.tif 000004
【図４】
0004413347.tif 000005
【図５】
0004413347.tif 000006
【図６】
0004413347.tif 000007
【図７】
0004413347.tif 000008